(57)【要約】【課題】アナログ方式で運用するときはスプリアスの規格を満たすことができるようにすると共に、デジタル方式で運用するときはスプリアスの規格及びサイドローブスペクトラム規格を満たすことができるようにすることにより、アナログ、デジタル共用の伝送装置を提供する。【解決手段】受信機に具備されているＳＡＷフィルタユニットを送信機にも具備し、アナログ方式で運用するときはＳＡＷフィルタユニット内のＳＡＷフィルタを通過させないようにすると共に、デジタル方式で運用するときはＳＡＷフィルタユニット内のＳＡＷフィルタを通過させるようにすることにより、通過帯域以外の成分を急峻に減衰させる。【選択図】図１
2005109854.tif 000002
【特許請求の範囲】
【請求項１】
不要電波のレベルを所定値以下に減衰させて送信する送信高周波部を含み、デジタル、アナログ共用の伝送装置であって、
第１の通過帯域の第１のＳＡＷフィルタと、第２の通過帯域の第２のＳＡＷフィルタを具備するフィルタ部を前記送信高周波部に備え、前記フィルタ部は、前記送信高周波部に入力する信号形態に応じ、当該信号が、前記第１のＳＡＷフィルタか、第２のＳＡＷフィルタか、いずれのＳＡＷフィルタも通過しない状態に切換る構成としたことを特徴とする伝送装置。
【請求項２】
請求項１記載の伝送装置において、
前記送信高周波部にアナログ信号が入力されたとき、前記フィルタ部は、いずれのＳＡＷフィルタも通過しない状態に切換る構成としたことを特徴とする伝送装置。
【請求項３】
請求項１記載の伝送装置において、
前記送信高周波部にデジタル信号が入力されたとき、前記フィルタ部は、前記第１のＳＡＷフィルタを通過する状態に切換る構成としたことを特徴とする伝送装置。
【請求項４】
請求項１記載の伝送装置において、
前記送信高周波部にＯＦＤＭ変調方式のデジタル信号が入力されたとき、前記フィルタ部は、通過帯域が前記第１のＳＡＷフィルタの半分である前記第２のＳＡＷフィルタを通過する状態に切換る構成としたことを特徴とする伝送装置。
【発明の詳細な説明】
【技術分野】
【０００１】
本発明は、デジタル、アナログ共用の伝送装置に関するものである。
【背景技術】
【０００２】
従来のアナログ専用の伝送装置では、無線伝送するのに用いるチャンネルと、他の伝送装置が無線伝送するのに用いるチャンネルとが互いに隣接する場合、信号同士の干渉を生じることがある。そこで、信号同士の干渉を生じさせないようにするため、スプリアスの規格が設けられている。このスプリアスの規格では、例えば、７ＧＨｚ帯の電波を送受信する場合、占有周波数帯域幅以外に放射される不要電波のレベルは１００μＷ以下となるように規定されている。
【０００３】
一方、従来のデジタル専用の伝送装置も、無線伝送するのに用いるチャンネルと、他の伝送装置が無線伝送するのに用いるチャンネルとが互いに隣接する場合、信号同士の干渉を生じることがある。そこで、他の伝送装置の信号との干渉を防ぐためのスプリアスの規格が設けられているが、このスプリアスの規格以外に、デジタル変調信号のサイドローブスペクトラムの規格も設けている。このサイドローブスペクトラムの規格では、例えば、７ＧＨｚ帯の電波を送受信する場合、伝送帯域は１８ＭＨｚであるが、中心周波数での送受信レベルと中心周波数よりも９ＭＨｚ大きいまたは小さい周波数での送受信レベルの差が３７ｄＢ以上となるように規定されている。このサイドローブスペクトラムの規格を満足するためには、ＳＡＷフィルタユニットを具備する必要がある。
【０００４】
また、従来のＯＦＤＭ変調方式用のデジタル専用の伝送装置では、チャンネルの有効利用を図るために、ハーフモードという設定がある。このハーフモードでは、変調信号の帯域幅を半分にすることにより、伝送帯域内で２波伝送する。例えば、７ＧＨｚ帯の電波を送受信する場合、伝送帯域は１８ＭＨｚであるが、通過帯域を半分の９ＭＨｚとする。なお、ハーフモードに設定した場合、９ＭＨｚのＳＡＷフィルタに切り換える必要がある。
【０００５】
なお、アナログ、デジタルの伝送装置に関し、アナログ、デジタル共用の受信装置については、特開平７−２４０７２８号公報に記載されている。
【特許文献１】特開平７−２４０７２８号公報
【発明の開示】
【発明が解決しようとする課題】
【０００６】
伝送装置をアナログ、デジタル共用とした場合、アナログ方式で用いる時は前述のスプリアスの規格を満たすようにすると共に、デジタル方式で用いる時は前述のスプリアスの規格だけでなく、前述のサイドローブスペクトラムの規格も満たすようにすることが必要である。そこで、本発明の第１の目的は、この両規格を満たすことができるようにすることにより、アナログ、デジタル共用の伝送装置を提供することである。
【０００７】
更に、本発明の第２の目的は、ＯＦＤＭ変調方式のデジタルの伝送装置として使用する場合でハーフモードに設定したとき、通過帯域が伝送帯域の半分となっても、前述のスプリアスの規格だけでなく前述のサイドローブスペクトラムの規格を満たすことができる伝送装置を提供することである。
【課題を解決するための手段】
【０００８】
本発明は、前述の目的を達成するため、不要電波のレベルを所定値以下に減衰させて送信する送信高周波部を含み、デジタル、アナログ共用の伝送装置であって、第１の通過帯域の第１のＳＡＷフィルタと、第２の通過帯域の第２のＳＡＷフィルタを具備するフィルタ部を前記送信高周波部に備え、前記フィルタ部は、前記送信高周波部に入力する信号形態に応じ、当該信号が、前記第１のＳＡＷフィルタか、第２のＳＡＷフィルタか、いずれのＳＡＷフィルタも通過しない状態に切換る構成としたものである。
【０００９】
また、送信高周波部にアナログ信号が入力されたとき、フィルタ部は、いずれのＳＡＷフィルタも通過しない状態に切換る構成としたものである。
また、送信高周波部にデジタル信号が入力されたとき、フィルタ部は、第１のＳＡＷフィルタを通過する状態に切換る構成としたものである。
また、送信高周波部にＯＦＤＭ変調方式のデジタル信号が入力されたとき、フィルタ部は、通過帯域が第１のＳＡＷフィルタの半分である第２のＳＡＷフィルタを通過する状態に切換る構成としたものである。
【発明の効果】
【００１０】
本発明によれば、ＳＡＷフィルタユニットを受信機だけでなく送信機にも具備することにより、デジタル伝送装置として用いた場合、ＳＡＷフィルタユニット内の第１のＳＡＷフィルタを信号が通過するため、スプリアスの規格だけでなく、サイドローブスペクトラムの規格も満たすことができる。
【００１１】
更に、通過帯域が第１のＳＡＷフィルタの半分である第２のＳＡＷフィルタをＳＡＷフィルタユニットに具備することにより、ＯＦＤＭ変調方式のデジタル伝送装置として用いた場合、ハーフモードに切り換えることによりＳＡＷフィルタの通過帯域を伝送帯域の半分に切り換わっても、スプリアスの規格だけでなく、サイドローブスペクトラムの規格を満たすことができる。
【００１２】
なお、アナログ伝送装置として用いた場合、アナログ変調信号はＳＡＷフィルタユニット内のＳＡＷフィルタを通過しないことにより、アナログ変調信号の特性を劣化させることなく伝送することができる。
【発明を実施するための最良の形態】
【００１３】
以下、本発明の一実施例である伝送装置について、図１、２を参照して説明する。図１は、本実施例の伝送装置における７ＧＨｚ帯送信高周波部の構成を示すブロック図であり、この伝送装置はデジタル、アナログ共用の伝送装置である。図２は、本実施例の伝送装置における７ＧＨｚ帯送信高周波部のＳＡＷフィルタユニットの構成を示すブロック図である。
【００１４】
図１において、１はＩＦ信号を増幅するＩＦ増幅回路、２はＳＡＷフィルタ、３はＩＦ信号をＲＦ信号に変換する周波数変換器、４はＲＦ信号を増幅するＳＨＦ増幅器である。
【００１５】
図２において、５はアナログ信号とデジタル信号を切り換えるためのリレー、６は通過帯域が１８ＭＨｚのＳＡＷフィルタと通過帯域が９ＭＨｚのＳＡＷフィルタを切り換えるためのリレー、７は通過帯域が１８ＭＨｚのＳＡＷフィルタ、８は通過帯域が９ＭＨｚのＳＡＷフィルタ、９はＩＦ信号の増幅器、１０はレベル調整用の減衰器である。
【００１６】
次に、本実施例の伝送装置の動作について、図１〜４を参照して説明する。図３は、従来の一例であるアナログ方式の伝送装置における送信高周波部の構成を示すブロック図である。図４は、伝送装置（従来例も本実施例も含む伝送装置）の構成を示すブロック図である。
【００１７】
伝送装置は、図４に記載されている通り、送信制御部、送信高周波部、受信高周波部、受信制御部により構成されている。送信制御部は、映像や音声の信号を変調することにより、例えば１３０ＭＨｚのＩＦ信号に周波数変換して送信高周波部に伝送する。このＩＦ信号はケーブルにより送信高周波部に伝送される。送信高周波部は、送信制御部から伝送されたＩＦ信号をＳＨＦ帯の信号（例えば、７ＧＨｚ帯の信号）に周波数変換して、受信高周波部に無線回線を介して伝送する。受信高周波部は、受信したＳＨＦ帯の信号（例えば、７ＧＨｚ帯の信号）をＩＦ信号に周波数変換して受信制御部に伝送する。受信制御部は、受信高周波部から伝送されたＩＦ信号を復調することにより、元の映像信号や音声信号に変換する。
【００１８】
本実施例では、図１に記載の通り、送信高周波部にＳＡＷフィルタユニット２を具備しており、このＳＡＷフィルタユニット２は、図２に記載の通り、ＳＡＷフィルタ７、ＳＡＷフィルタ８を具備している。（一方、従来例では、図３に記載の通り、送信高周波部にＳＡＷフィルタユニットを具備していない。）デジタル変調信号が入力されたとき、リレー５、リレー６によりＳＡＷフィルタ７をデジタル変調信号が通過するため、送信高周波部の内部で使用しているクロック、発振器のかぶりが減衰されることにより、サイドローブスペクトラムの規格を満たすことができる。例えば、７ＧＨｚ帯の電波を送信する場合、伝送帯域は１８ＭＨｚであるが、中心周波数での送受信レベルと中心周波数よりも９ＭＨｚ大きいまたは小さい周波数での送受信レベルの差が３７ｄＢ以上となるようにすることができる。
【００１９】
また、ＯＦＤＭ変調方式のデジタル変調信号が入力されたとき、チャンネルの有効利用を図るために、通過帯域を変調信号の伝送帯域の半分とした信号を２波伝送するハーフモードという設定がある。このハーフモードでは、変調信号の帯域幅を半分にすることにより、伝送帯域内で２波伝送する。例えば、７ＧＨｚ帯の電波を送受信する場合、伝送帯域は１８ＭＨｚであるが、通過帯域を半分の９ＭＨｚとする。なお、ハーフモードに設定した場合、９ＭＨｚのＳＡＷフィルタに切り換える必要がある。そこで、リレー５、リレー６によりＳＡＷフィルタ８にデジタル変調信号を通過させるようにする。前述のＯＦＤＭ変調方式以外のデジタル変調信号が入力された場合と同様にして、送信高周波部の内部で使用しているクロック、発振器のかぶりが減衰されることにより、サイドローブスペクトラムの規格を満たすことができる。
【００２０】
更に、アナログ変調信号が入力されたとき、リレー５によりＳＡＷフィルタを通過せず、ＩＦ増幅回路１からの出力信号が直接、周波数変換器３に入力される。アナログ変調信号をＳＡＷフィルタに通した場合、アナログ変調信号の帯域内でのフィルタによる位相の変化やリップルにより、アナログ変調信号の特性が劣化し、この劣化により、前述のスプリアスの規格を満たすことができなくなる場合があるためである。
【００２１】
ＳＡＷフィルタの後段に増幅器を具備することにより、ＳＡＷフィルタによる減衰分を増幅することもあるが、逆に、ＳＡＷフィルタの後段に減衰器を具備することもある。増幅器、減衰器を具備することにより、適正なレベルで出力するようにしている。
【００２２】
以上のように、本実施例の伝送装置は、アナログ信号が入力された場合はスプリアスの規格を満たすと共に、デジタル信号が入力された場合はスプリアスの規格及びサイドローブスペクトラムの規格を満たすため、アナログ、デジタル共用として用いることができる。更に、ＯＦＤＭ変調方式のデジタル信号が入力された場合、ハーフモードに切り換わっても、スプリアスの規格及びサイドローブスペクトラムの規格を満たすようにすることができる。
【図面の簡単な説明】
【００２３】
【図１】本発明の一実施例である伝送装置における７ＧＨｚ帯送信高周波部の構成を示すブロック図。
【図２】本発明の一実施例である伝送装置における７ＧＨｚ帯送信高周波部のＳＡＷフィルタユニットの構成を示すブロック図。
【図３】従来の一例であるアナログ方式の伝送装置における送信高周波部の構成を示すブロック図。
【図４】伝送装置の構成を示すブロック図。
【符号の説明】
【００２４】
１：ＩＦ増幅回路、２：ＳＡＷフィルタユニット、３：周波数変換器、４：ＳＨＦ増幅器、５，６：リレー 、７，８：ＳＡＷフィルタ、９：ＩＦ増幅器、１０：減衰器。
【図１】
2005109854.tif 000003
【図２】
2005109854.tif 000004
【図３】
2005109854.tif 000005
【図４】
2005109854.tif 000006